(57)【要約】【課題】  まっすぐな噴流噴出と往復自励振動する噴流噴出の両方を切り替えて実現可能であり、気泡を巻き込みながら、静穏化が図れる噴流浴装置を提供することである。【解決手段】  本発明では、ノズル１１の噴流時に、流路断面収縮部２３から噴出される噴流がチャンバー２５内で発生する負圧によって引き込まれる空気の引きちぎれ音を低減する為に、チャンバー空気導入口３７をチャンバー２５の下流側にの範囲に形成する。【選択図】  図３
2011015784.tif 000002
【特許請求の範囲】
【請求項１】
浴槽と、
前記浴槽の浴槽壁に開口され前記浴槽の内部に貯留された浴槽水が吸い込まれる吸入口と、
前記吸入口から浴槽水を吸入し加圧して吐出する加圧装置と、
前記浴槽のあふれ縁より下で前記浴槽壁に対して保持される一重構造の筐体を有し、
前記筐体の内部に導入された浴槽水を、噴出方向を変化させながら前記浴槽の内部に噴出する噴流ノズルと、を備えた噴流浴装置であって、
前記噴流ノズルは、流水導入部と、
前記筐体の軸方向に延在して前記筐体の内部に形成されたチャンバーと、を有し、
前記流水導入部は、前記加圧装置から送られる加圧浴槽水が導入される上流側端部と、
前記上流側端部に対して流路が細くされると共に、前記チャンバーに連通する下流側端部と、を有し
前記チャンバーは、前記軸方向の上流側端部に設けられ前記流水導入部の前記下流側端部に対して流路断面が急拡大された流路断面急拡大部と、
前記軸方向の下流側端部に開口され前記浴槽の内部に臨む噴出口と、を有し、
前記流路断面急拡大部から前記噴出口にかけての断面形状が略長方形状に形成され、
前記流路断面収縮部流水導入部の前記下流側端部における前記チャンバー内に臨む下流端開口は、前記噴出口から前記チャンバー内を見た正面視で前記チャンバーの断面形状を形作る輪郭線よりも内側に位置し、前記流路断面収縮部流水導入部の前記下流端開口の開口縁部と前記輪郭線との間に隙間を有し、
前記チャンバー内に大気を取り込む為に、大気とチャンバー外回り空間部を繋ぐ第一の吸入口と、前記チャンバー外回り空間部と前記チャンバー内を繋ぐ第二の吸入口が形成され、
前記第二の吸入口が、前記チャンバー内の前記流路断面収縮部流水導入部から前記噴出口迄の前記チャンバー内長さを二等分した位置から下流側の範囲に形成されていることを特徴とする噴流浴装置。
【請求項２】
前記第一の吸入口、及び前記第二の吸入口は複数の穴を備えることを特徴とする請求項１に記載の噴流浴装置。
【請求項３】
前記第一の吸入口を開閉する切換弁を有することを特徴とする請求項１に記載の噴流浴装置。
【発明の詳細な説明】
【技術分野】
【０００１】
本発明は、浴槽内に噴流を噴出させる噴流ノズルを備えた噴流浴装置に係り、特に使用者の安全性を確保した噴流浴装置に関する発明である。 
【背景技術】
【０００２】
従来の浴槽壁に噴流ノズルを設けて、そのノズルから噴流を浴槽内に噴出させるものがあるが、その多くはまっすぐに噴流を噴出させるものであり（例えば、特許文献１参照）、噴流が入浴者の身体の一部に局所的にあたり、噴流により受ける刺激が単調で飽きやすく、多様なマッサージ感は得られ難かった。
【０００３】
また、特許文献２には、ノズル自体に可動部を設けない構造にて、噴出方向を変化させつつ、より大きな刺激を与えるために気泡を巻き込んだ噴流噴出装置が開示されている。
しかしながら、このような構造では、気泡を巻き込む際に大きな騒音が発生するという課題が存在していた。
【先行技術文献】
【特許文献】
【０００４】
【特許文献１】特開平７−１７８１４２号公報
【特許文献２】特開平４−１７６４６１号公報
【発明の概要】
【発明が解決しようとする課題】
【０００５】
本発明は、上記問題を解決するためになされたもので、本発明の課題は、まっすぐな噴流噴出と往復自励振動する噴流噴出の両方を切り替えて実現可能であり、気泡を巻き込みながら、静穏化が図れる噴流浴装置を提供することである。
【課題を解決するための手段】
【０００６】
上記目的を達成するために請求項１記載の発明によれば、浴槽と、前記浴槽の浴槽壁に開口され前記浴槽の内部に貯留された浴槽水が吸い込まれる吸入口と、前記吸入口から浴槽水を吸入し加圧して吐出する加圧装置と、前記浴槽のあふれ縁より下で前記浴槽壁に対して保持される一重構造の筐体を有し、前記筐体の内部に導入された浴槽水を、噴出方向を変化させながら前記浴槽の内部に噴出する噴流ノズルと、を備えた噴流浴装置であって、前記噴流ノズルは、流水導入部と、前記筐体の軸方向に延在して前記筐体の内部に形成されたチャンバーと、を有し、前記流水導入部は、前記加圧装置から送られる加圧浴槽水が導入される上流側端部と、前記上流側端部に対して流路が細くされると共に、前記チャンバーに連通する下流側端部と、を有し、前記チャンバーは、前記軸方向の上流側端部に設けられ前記流水導入部の前記下流側端部に対して流路断面が急拡大された流路断面急拡大部と、前記軸方向の下流側端部に開口され前記浴槽の内部に臨む噴出口と、を有し、前記流路断面急拡大部から前記噴出口にかけての断面形状が略長方形状に形成され、前記流路断面収縮部流水導入部の前記下流側端部における前記チャンバー内に臨む下流端開口は、前記噴出口から前記チャンバー内を見た正面視で前記チャンバーの断面形状を形作る輪郭線よりも内側に位置し、前記流路断面収縮部流水導入部の前記下流端開口の開口縁部と前記輪郭線との間に隙間を有し、前記チャンバー内に大気を取り込む為に、大気とチャンバー外回り空間部を繋ぐ第一の吸入口と、前記チャンバー外回り空間部と前記チャンバー内を繋ぐ第二の吸入口が形成され、前記第二の吸入口が、前記チャンバー内の前記流路断面収縮部流水導入部から前記噴出口迄の前記チャンバー内長さを二等分した位置から下上流側の範囲に形成されていることを特徴とする噴流浴装置が提供される。
これによれば、噴流に気泡を巻き込むことで入浴者へより大きな刺激を与えることが出来ると同時に、吸入口を前記流路断面収縮部流水導入部から前記噴出口迄の前記チャンバー内長さを二等分した位置から下流側の範囲に形成することによって、穴に対する流速が低下し、流速に影響される騒音レベルを低減することが可能となる。
【０００７】
また、請求項２記載の発明によれば、前記第一の吸入口、及び前記第二の吸入口は複数の穴を備えることを特徴とする噴流浴装置が提供される。
これによれば、気泡無し時の往復自励振動噴流動作を邪魔することなく、吸い込み面積を拡大することによって、騒音レベルを低減することが可能となる。
【０００８】
また、請求項３記載の発明によれば、前記第一の吸入口を開閉する切換弁を有することを特徴とする噴流浴装置が提供される。
これによれば、切換弁を操作することにより、気泡を含む噴流と気泡を含まない噴流の二つの噴流を噴出することが可能となる。
【発明の効果】
【０００９】
本発明によれば、まっすぐな噴流噴出と往復自励振動する噴流噴出の両方を切り替えて実現可能であり、気泡を含みながら騒音の小さな噴流噴出装置を提供できる。
【図面の簡単な説明】
【００１０】
【図１】本発明の実施形態に係る噴流浴装置の概略構成を示す模式図。
【図２】本発明の実施形態に係る噴流浴装置においてエア供給系統の一具体例を示す模式図。
【図３】同噴流浴装置における噴流ノズルの模式断面図。
【図４】同噴流ノズルを噴出口側から見た正面図。
【図５】同噴流浴装置における噴流ノズルの他の具体例を示す模式断面図。
【図６】同噴流ノズルを噴出口側から見た他の具体例を示す正面図。
【図７】同噴流ノズルにおけるチャンバーの模式図。
【図８】同噴流ノズルにおけるチャンバー及び噴出口の断面形状の他の具体例を示す模式図。
【図９】同噴流ノズルにおけるチャンバー及び噴出口の断面形状のさらに他の具体例を示す模式図。
【図１０】同噴流ノズル内における流水の挙動を説明するための模式図。
【図１１】同噴流ノズルからの噴出噴流を、噴出口から７０ｍｍの位置に設けた面状に広がる観測体に衝突させ、その観測体に対する噴流衝突部分の中心位置の時間変化に伴う挙動を示す模式図。
【図１２】図８（ａ）における撮像画像１０フレームごとの移動軌跡を示す模式図。
【図１３】本発明の実施形態に係る噴流ノズルにおける噴出噴流振動振幅の出現率を示すグラフ。
【図１４】本発明の実施形態に係る噴流ノズルにおける圧力Ｐと流量ＱとのＰＱ特性を示すグラフ。
【図１５】本発明の実施形態に係る噴流ノズルにおける噴流噴出方向切換周波数特性を示すグラフ。
【図１６】本発明の実施形態に係る噴流ノズルにおける噴流噴出方向の切り換わりの様子を示す画像。
【図１７】本発明の実施形態に係る噴流浴装置においてエア供給系統の他の具体例を示す模式図。
【図１８】本発明の実施形態に係る噴流浴装置においてエア供給系統のさらに他の具体例を示す模式図。
【図１９】本発明の実施形態に係る噴流ノズルにおけるチャンバー空気導入口の実験条件違いを示す模式図。
【図２０】チャンバー空気導入口がφ３×６個時の、チャンバー内の配置違いの騒音レベル比較を示すグラフ。
【図２１】チャンバー空気導入口がφ３×９個時の、チャンバー内の配置違いの騒音レベル比較を示すグラフ。
【図２２】チャンバー空気導入口のφ３×６個とφ３×９個の複数穴の数違い時の騒音レベル比較を示すグラフ。
【発明を実施するための形態】
【００１１】
図１は、本発明の実施形態に係る噴流浴装置の概略構成を示す模式図である。
【００１２】
本実施形態に係る噴流浴装置は、浴槽１と、浴槽１の浴槽壁に開口された吸入口５と、循環路６、８と、循環路６、８の間に接続された加圧装置であるポンプ７と、浴槽壁に設けられた２つの噴流ノズル１１とを備える。
【００１３】
浴槽１は、略平行に相対向する一対の長辺浴槽壁３ａ、３ｂと、略平行に相対向する一対の短辺浴槽壁４ａ、４ｂとを有する。
【００１４】
吸入口５は一対の長辺浴槽壁３ａ、３ｂのうちの一方（図１に示す例では長辺浴槽壁３ａ）に形成されている。ポンプ７が駆動されると、浴槽１の内部に貯留された浴槽水（湯も含む）は吸入口５を介して循環路６へと吸い込まれる。
【００１５】
一般に、入浴者は、向かい合う一対の短辺浴槽壁４ａ、４ｂのうちの一方に背をもたれかけて他方の短辺浴槽壁に足を向けた姿勢で入浴するため、吸入口５を短辺浴槽壁に形成した場合には、入浴者の背中や足裏で吸入口５がふさがれポンプ７に過剰の負荷がかかることが懸念される。したがって、吸入口５は、入浴者の身体の一部等によってふさがれにくい長辺浴槽壁に形成するのが望ましい。
【００１６】
循環路６の一端は吸入口５に接続され、他端はポンプ７の吸込口に接続されている。循環路８の一端はポンプ７の吐出口に接続され、他端は噴流ノズル１１に接続されている。ポンプ７は、吸入口５から循環路６内に浴槽水を吸い込むと共に、その吸い込んだ浴槽水を加圧してポンプ７の下流側の循環路８に吐出する。このポンプ７から吐出された加圧浴槽水は、噴流ノズル１１の内部に流入する。なお、使用していないときに、ポンプ７内部の残留水を抜くために、ポンプ７は吸入口５よりも上方に設けることが望ましい。
【００１７】
本実施形態では、一対の短辺浴槽壁４ａ、４ｂのうちの一方（図１に示す例では短辺浴槽壁４ａ）に、２つの噴流ノズル１１を取り付けている。２つの噴流ノズル１１は、略同じ高さに所定距離水平方向に隔てて、短辺浴槽壁４ａに保持されている。なお、入浴者が噴流ノズル１１が設けられた短辺浴槽壁４ａに背中を向けた姿勢で入浴すれば、噴流ノズル１１からの噴流を背中や腰に受けることができるし、その短辺浴槽壁４ａに足を向けた姿勢で入浴すれば足裏や脹脛に噴流ノズル１１からの噴流を受けることができる。
【００１８】
図３は、噴流ノズル１１の模式断面図である。  
図４は、図３における噴流ノズル１１を噴出口２６側から見た正面図である。
図５は、噴流ノズル１１の他の具体例を示す模式断面図である。  
図６は、図３における噴流ノズル１１を噴出口２６側から見た他の具体例を示す正面図である。
【００１９】
噴流ノズル１１は、大きく分けて、略円筒形状でほぼまっすぐに延在する筒体２０と、筒体２０の軸方向の上流側端部に設けられた湾曲部３０とを有する。筒体２０は筒状の外側カバー３１の内部に設けられ、湾曲部３０はエルボカバー３２の内部に設けられている。筒体２０と湾曲部３０とは一体成形構造であってもよいし、別体のものを結合させてもよい。
【００２０】
外側カバー３１の下流側端部には、図４に示すようにその中央部分に円形の貫通孔３４ａが形成された円環状のフランジ部３４が設けられている。その貫通孔３４ａから筒体２０の噴出口２６を含む下流側端面が露出している。
【００２１】
湾曲部３０の内部には流水導入部２２が形成され、その流水導入部２２における上流側端部の最上流端に開口形成された流水導入口２１は、前述した循環路８と接続される配管３３と接続されている。
【００２２】
図１において、噴流ノズル１１は、その噴出口２６を、浴槽１のあふれ縁より下で浴槽１の内部に臨ませて短辺浴槽壁４ａに保持されている。ここで、「あふれ縁」とは、浴槽１内に浴槽水をためていったとき、最初に浴槽１内から溢れる部分の浴槽１の縁（またはリム）を意味する。このような構成のため、浴槽１内に浴槽水を溜めて人が入浴した状態で、噴流ノズル１１からの噴流を確実に浴槽水中に噴出させることができる。
【００２３】
流水導入部２２の下流側端部は、流水導入部２２の中で最も流路断面が縮小された流路断面収縮部２３として機能する。流路断面収縮部２３の最下流端は、筒体２０の軸方向の上流側端部に開口している。
【００２４】
流水導入部２２の流路断面は円形または楕円形であり、その流路断面積は、上流側端部から下流側端部である流路断面収縮部２３に向けて漸次減少している。すなわち、流水導入部２２の流路は、上流側端部から下流側端部である流路断面収縮部２３に向けて漸次細くなっている。
【００２５】
流路断面収縮部２３の流路断面の中心は、筒体２０及びチャンバー２５の中心軸Ｃ１に一致している。流水導入部２２の流路断面の中心を通る流路中心線Ｃ２は曲率を有する曲線を描き、流水導入部２２は湾曲している。その流路中心線Ｃ２の下流端位置は、筒体２０及びチャンバー２５の中心軸Ｃ１に一致している。
【００２６】
筒体２０の内部には筒体２０の軸方向に延在するチャンバー２５が形成され、流路断面収縮部２３は、そのチャンバー２５に連通し、且つチャンバー２５に対して流路断面が縮小されている。また、流路断面収縮部２３は、その流路断面の中心を、チャンバー２５の中心軸Ｃ１に一致させて、チャンバー２５の軸方向に対して略平行に延在し、径が一定な直管状に形成されている。すなわち、流水導入部２２の流路は上流側から下流側に向けて漸次細くなり、その細くなった先には、流路径がほぼ一定な直管部（流路断面収縮部２３）が続いている。
【００２７】
チャンバー２５の軸方向の上流側端部には、流路断面収縮部２３に対して流路断面が急拡大（例えば噴出口２６からチャンバー２５内を見た正面視でチャンバー２５の略長方形状の長手方向の長さが４倍以上）された流路断面急拡大部２４が設けられている。
【００２８】
筒体２０の外形は円筒状であるが、その内部に中空穴として形成されたチャンバー２５は、チャンバー２５のみを抽出して模式的に示す図７に示すように、流路断面急拡大部２４から噴出口２６にかけての断面形状が略長方形状に形成されている。すなわち、噴出口２６からチャンバー２５内を見た正面視でチャンバー２５及び噴出口２６の断面形状が略長方形状となっている。ここで、「略長方形状」とは、４つの角が直角に形成された矩形状に限らず、図８に示すように矩形において４つの角が丸まった（アールが付いた）形状や、図９に示すように略平行に対向する一対の直線を長辺として有すると共に短辺部分が曲線で構成されたオーバルもしくはレーストラック形状も含む。
【００２９】
チャンバー２５の軸方向の下流側端部には、チャンバー断面と同じ「略長方形状」の噴出口２６が開口している。チャンバー２５の内壁面は、流路断面急拡大部２４から噴出口２６に至るまで、チャンバー２５の中心軸Ｃ１に対して略平行に延在し、また、チャンバー２５は流路断面急拡大部２４の断面形状が略長方形状のまま噴出口２６まで続いている。チャンバー２５における軸方向の上流側端部が流路断面急拡大部２４として機能し、チャンバー２５における軸方向の下流側端部が噴出口２６として機能する。
【００３０】
流路断面収縮部２３から流路断面急拡大部２４にかけての流路壁面は略垂直に変化している。すなわち、流路断面収縮部２３の流路壁面は、チャンバー２５の軸方向に対して略平行であるのに対して、流路断面急拡大部２４として機能するチャンバー２５の軸方向の上流側端部の端面は、流路断面収縮部２３の流路壁面に対して略垂直に続いて径外方に広がって形成されている。この流路壁面の急変化により、後述するように流路断面急拡大部２４にて、壁面からの流れの剥離が生じる。
【００３１】
流路断面収縮部２３におけるチャンバー２５内に臨む下流端開口は円形状に形成され、その中心はチャンバー２５の軸中心に位置している。その流路断面収縮部２３の下流端開口は、噴出口２６からチャンバー２５内を見た正面視において、チャンバー２５の断面形状を形作る輪郭線よりも内側に位置し、図４において円形で表される流路断面収縮部２３の下流端開口の開口縁部は、同じ図４において矩形状に表されるチャンバー２５断面の輪郭線に対して離間し、それら開口縁部と輪郭線との間には上記正面視で隙間が存在する。
【００３２】
また、本実施形態に係る噴流浴装置は、噴流ノズル１１の内部に気泡を混入させるためのエア供給系統も備えている。そのエア供給系統の一具体例を図２に示す。
【００３３】
ノズル１１が取り付けられた短辺浴槽壁４ａ側の浴槽リム２の下方（裏側）には、前述したポンプ７や循環路８と共に、空気導入管４３、電磁弁４１、逆止弁４２が設けられている。
【００３４】
空気導入管４３において、空気の流れの上流側の一端は、浴槽リム２に形成された空気取入口２ａに通じ、下流側の他端側は２つに分岐してそれぞれ２つのノズル１１に接続されている。空気導入管４３の途中には、この空気導入管４３内のエア流路を開閉する電磁弁４１が切換装置として設けられている。また、切換装置は手動弁でも良いが、電磁弁だと制御も容易である。この具体例では、電磁弁４１が、ノズル１１が気泡を含む噴流を噴出する状態と、気泡を含まない噴流を噴出する状態とを切り換える切換装置として機能する。
【００３５】
電磁弁４１より下流側の空気導入管４３には、空気取入口２ａと通じる上流側からノズル１１に通じる下流側に向かう方向を順方向とする逆止弁４２が設けられ、浴槽水の空気取入口２ａ側への逆流が阻止されている。
【００３６】
図３に示すように、チャンバー壁を構成する筒体２０の周面の一部にチャンバー２５内に通じるチャンバー空気導入口３７がチャンバー２５内の噴出口２６における長手方向の面に開口形成されている。また、筒体２０においてチャンバー空気導入口３７が形成された部分には周方向にわたって溝３６が形成されており、その溝３６の底面の一部にチャンバー空気導入口３７が開口し、両者は連通している。外側カバー３１において上記溝３６と対向する部分には空気吸入口３５が取り付けられている。空気吸入口３５は、溝３６と連通すると共に、上記空気導入管４３に連通している。
【００３７】
外側カバー３１は浴槽壁に対して保持固定され、その内部に設けられた筒体２０は外側カバー３１に対して中心軸Ｃ１のまわりに回動自在となっている。図４に示すように、筒体２０の下流側端面には噴出口２６が開口しているが、その下流側端面において噴出口２６の長辺部の外側には、噴出口２６を挟んで位置する２つのくぼみ３８が形成されている。くぼみ３８は、図４において紙面奥側にくぼんでいる。これら２つのくぼみ３８を指でつまみながら筒体２０を外側カバー３１に対して回動させることができ、この筒体２０の回動によって、噴出口２６の長手方向を任意の向きに設定することができる。図４においては、噴出口２６の短手方向は縦向きにされているが、横向きにしたり、縦横に対して傾いた向きにしたりと、自由にその向きを変えることができる。
【００３８】
図５には、チャンバー壁を構成する筒体２０の周面の一部にチャンバー２５内に通じるチャンバー空気導入口３７がチャンバー２５内の噴出口２６における短手方向の面に開口形成されている他の具体例を示す。
【００３９】
図６においては、噴出口２６の長手方向は縦向きにされているが、横向きにしたり、縦横に対して傾いた向きにしたりと、自由にその向きを変えることができる。
【００４０】
筒体２０の回動に伴って筒体２０に形成されたチャンバー空気導入口３７と、外側カバー３１に固定された空気吸入口３５との周方向の位置がずれるが、これら両者の間に隙間として存在する溝３６は周方向の全周にわたって形成されているため、空気吸入口３５とチャンバー空気導入口３７との位置が一致しなくても、溝３６を介して空気吸入口３５とチャンバー空気導入口３７とは通じている。したがって、空気取入口２ａ、空気導入管４３、空気吸入口３５、溝３６およびチャンバー空気導入口３７を介して、チャンバー２５内に大気中から空気を導入することができる。しかしながらこの度の構造では、チャンバー空気導入口３７は一つでも良いため、チャンバー２５の壁面が凸凹にならずノズルの噴流性能に影響がない。また、構造的にも強いままで、加工や製造が簡単となる効果も得られる。
【００４１】
次に、本実施形態に係る噴流浴装置の作用について説明する。
【００４２】
浴槽１近傍に設けられた図示しないコントローラのスイッチを入浴者が操作すると、前述したポンプ７が起動し、浴槽１内に貯留された浴槽水が吸入口５から循環路６内へと吸入される。この吸入された浴槽水は、ポンプ７にて加圧されて、循環路８を介して、噴流ノズル１１の流水導入部２２に導入される。
【００４３】
ここで、図１０（ａ）〜（ｄ）において左側に表される図は、前述した電磁弁４１を閉じて気泡混入をしない状態におけるチャンバー２５内での流水の挙動を説明するための模式図であり、その図の右側には噴出口２６側から見た正面図を示す。この正面図において、噴出噴流の正面側から見た位置を１点鎖線の円で模式的に表す。（ａ）において左側の図は、その右側の図におけるＡ−Ａ断面に対応し、（ｂ）〜（ｄ）の各図においても同様である。
【００４４】
流水導入部２２に導入された加圧浴槽水は、流路断面収縮部２３および流路断面急拡大部２４を順に経てチャンバー２５内に噴流となって流入する。加圧浴槽水が、流路断面収縮部２３からチャンバー２５内に流入する際、流路断面の急拡大により、筒体２０の内壁面に沿って流れることができなくなり、すなわち流路内壁面に対して流れの剥離が生じる。
【００４５】
一般的に、噴流は、外部流体との運動量交換により外部流体を加速し、噴流内部に巻き込む。このとき、噴流近傍に壁面が存在すると、外部流体を内部に引き込むように作用する引きつけ力の反作用により、噴流自身が壁面に向かって曲げられ、再び流れが壁面に沿うようになる。つまり、チャンバー２５の内壁面の一部に流れが再付着する。
【００４６】
チャンバー２５の内壁面に付着した主流は、そのままチャンバー２５の内壁面に沿って噴出口２６に向かって流れ、噴出口２６の出口断面の一部に偏って浴槽４内に噴出する。
【００４７】
流路断面収縮部２３に比べて噴出口２６の流路断面が大きく、流れは下流に向かって減速、すなわち、チャンバー２５内部では下流に向かって静圧が増加する逆圧力勾配が形成されることによって、前述した主流の一部は噴出口２６から噴出されず、図１０（ｂ）において矢印ｂで表すように、チャンバー２５の上流側に戻される。
【００４８】
その上流側に戻された流れが、図１０（ｃ）に表すように、流路断面急拡大部２４付近にて主流が剥離したよどみ領域に流れ込むことで、図１０（ｄ）に表すように、流路断面急拡大部２４付近で中心軸Ｃ１まわりに旋回流が形成され、これにより、主流の内壁面に対する再付着位置が不規則に変化し、チャンバー２５内には中心軸Ｃ１まわりに不規則に旋回する流れが形成される。ここで、流路断面収縮部２３のチャンバー２５に臨む下流端開口の開口縁部（図示の例では円形状）と、チャンバー２５の略長方形状の輪郭線（すなわちチャンバー２５の周囲を囲む４つの内壁面）と、の間には前述した隙間が存在することから、チャンバー２５内における上記よどみ領域に、流路断面収縮部２３の下流端開口径よりも広がった空間が流路断面収縮部２３の下流端開口の全周方向に存在し、そこでの旋回流の形成を可能とする。
そして、噴出口２６も含めたチャンバー２５の断面形状は前述したように略長方形状であるため、その短手方向への旋回流の広がり（膨らみ）は規制され、結果として噴出口２６からはその長手方向に不規則に往復移動する噴流が噴出される。図１０（ｄ）の右側の正面図において、正面側から見た噴出噴流の位置の移動軌跡を１点鎖線の矢印で模式的に表す。
【００４９】
流路断面収縮部の流路径（図３におけるｄ）を８．３ｍｍ、チャンバー２５の軸方向長さ（図３におけるＬ）を７６．６ｍｍ、流路断面収縮部２３の直管部長さ（図３におけるＬ１）を３ｍｍ、チャンバー２５及び噴出口２６の断面における長手方向寸法（図４におけるＤ）を３４ｍｍ、チャンバー２５及び噴出口２６の断面における短手方向寸法（図４におけるＷ）を１４ｍｍ、流路断面収縮部２３におけるチャンバー２５内に臨む下流端開口の開口縁部と、チャンバー２５の断面輪郭線における長辺部との間の距離（図４におけるＸ）を２．８５ｍｍにそれぞれ設計し、ノズル内への供給流量を２５〜４５リットル／分とした場合に、噴出口２６の長手方向に往復して振れるような噴流の噴出を確認できた。
【００５０】
入浴者は、噴流ノズル１１から噴出される往復噴流を、腰、背、肩、手、足等の身体の一部に受けることにより、マッサージ効果を得ることができる。前述したように筒体２０を回動させることで噴出口２６の長手方向を縦向きにしたり、横向きにしたり、斜め向きにしたりと任意にその向きを設定できるため、例えば噴出口２６を縦向きにした場合に、入浴者がノズル１１が取り付けられた短辺浴槽壁４ａに背中を向けた姿勢で入浴すれば、背骨に沿って往復移動する噴流マッサージを受けることができる。
【００５１】
同じく噴出口２６を縦向きにした場合において、入浴者が足裏をノズル１１側に向けた姿勢で入浴すれば、足裏における足先と踵との間の足裏縦方向に沿って往復移動する噴流マッサージを受けることができる。また、噴出口２６を横向きにした場合において、入浴者が足裏をノズル１１側に向けた姿勢で入浴すれば、足の指の付け根部分に沿って往復移動する噴流マッサージを受けることができる。
【００５２】
このような往復移動する噴流によるマッサージは、一般に広く知られる気泡浴装置による細くて強く、まっすぐに噴出する直線的な噴流では得られないものである。しかも、そのような直線噴流に比べて、本実施形態によって実現される噴流は太くてやわらかいため、局所的に強い刺激感ではなく、もみほぐすような手もみに近いマッサージ感を得ることができ、長時間入浴していても飽きがなくゆったりとリラックスできる。また、往復移動の振動数は一定ではなく不規則に変化するので、自然なマッサージ感が得られる。
【００５３】
また、本実施形態に係る噴流ノズル１１は、チャンバー２５の流路断面急拡大部２４から断面形状が略長方形状のまま噴出口２６まで続いており、内部に導入された流体自身が、前述したようにチャンバー２５内での還流作用によって、噴出口２６から噴出される噴流の往復移動を励起する構成となっているため、チャンバー２５が凸凹の少ない形状になっているため、汚れも付き難くメンテナンスや製作も容易である。また、噴出方向切り換え用の三方弁が不要であり、ノズル構造が単純化され、安価に作製することができ、またメンテナンスも容易になる。さらには、細い制御用流路がないため、ゴミ詰まりなどの心配もない。
【００５４】
また、本実施形態では、チャンバー２５を囲む筒体２０は一重構造である。すなわち、ひとつの筒体２０によって周囲が囲まれる単一空間（流路）内で、噴出口２６へと向かう主流、および主流とは逆方向に流れる還流が形成され、浴槽水中に往復噴流として噴出される。したがって、構造が単純化され、安価に作製することができ、またメンテナンスも容易になる。さらには、ゴミ詰まりの心配もない。
【００５５】
また、本実施形態では、チャンバー２５への流入口として機能する流路断面収縮部２３は、チャンバー２５を囲む筒体２０の周壁部には形成されてはおらず、チャンバー２５の軸方向の上流側端部に開口している。したがって、流路断面収縮部２３からチャンバー２５内に流入した主流は、流路断面急拡大部２４で流路壁面から剥離した後、チャンバー２５の内周面に再付着して、ある程度の直進性を保ったまま噴出口２６から噴出し、さらに、その主流の流路壁面（チャンバー２５の内周面）への再付着位置がチャンバー２５内に形成される循環流（戻り流）により変化することで、噴出方向が変化するため、刺激箇所が時間とともに変化するような変化に富んだ噴流刺激が得られる。
【００５６】
流水導入部における流水導入口から流路断面収縮部へと続く部分は流路径がほぼ一定のまま湾曲させた構造としてもよい。ただし、図２に示す前述した実施形態のように、流水導入部２２の流路径を上流側端部から下流側端部である流路断面収縮部２３に向けて漸次細くなるようにし、且つその流水導入部２２の流路断面中心線Ｃ２の下流端位置をチャンバー２５の中心軸Ｃ１に一致させることで、流路径一定のまま湾曲させた場合に比べて、湾曲部の突出長を抑えて、限られた浴室内スペースでの設置に有利となる小型化が図れる。
【００５７】
ここで、本発明者等は、本実施形態に係るノズル１１からの噴出噴流を、噴出口２６から７０ｍｍの位置に設けた面状に広がる観測体に衝突させ、その観測体に対する噴流衝突部分を可視化した状態で噴出口２６に対して正対する方向から撮像装置で撮影することで、噴出噴流の挙動を調べた。
【００５８】
流路断面収縮部の流路径（図３におけるｄ）を８．３ｍｍ、チャンバー２５の軸方向長さ（図３におけるＬ）を７６．８ｍｍ、流路断面収縮部２３の直管部長さ（図２におけるＬ１）を３ｍｍ、チャンバー２５及び噴出口２６の断面における長手方向寸法（図４におけるＤ）を３３．８ｍｍ、チャンバー２５及び噴出口２６の断面における短手方向寸法（図４におけるＷ）を１３．８ｍｍ、流路断面収縮部２３におけるチャンバー２５内に臨む下流端開口の開口縁部と、チャンバー２５の断面輪郭線における長辺部との間の距離（図４におけるＸ）を２．７５ｍｍにそれぞれ設計し、ノズル内への供給流量を４０リットル／分とした。
【００５９】
撮影画像の解析結果を図１１に示す。撮影は３回行い、それぞれについての結果を、図１１（ａ）、（ｂ）、（ｃ）に示す。
【００６０】
図１１（ａ）、（ｂ）、（ｃ）は、上記観測体に対する噴流衝突部分の中心位置の時間変化に伴う衝突面内分布（移動軌跡）であり、小さな○印が観測体に対する噴流衝突部分の中心位置を示す。これら分布図の横軸のｘ方向及び縦軸のｙ方向における０は、矩形状の噴出口２６の中心を表し、ｘ方向はその矩形状の噴出口２６の長手方向に、ｙ方向は短手方向にそれぞれ対応する。
【００６１】
画像解析フレーム数は６００フレームであり、時間ステップは０．０１秒、解析総時間は６秒である。
【００６２】
図１１の結果より、３回の撮影いずれのときも、噴出噴流は、ｙ方向すなわち矩形状の噴出口２６の短手方向への変位はわずかで、ｘ方向すなわち噴出口２６の長手方向に大きく振れていることが確認できた。
【００６３】
図１１（ａ）、（ｂ）、（ｃ）のそれぞれは、画像解析フレーム数６００フレームの各フレームをすべて重ね合わせた図であるが、図１２には、例えば図８（ａ）における１０フレームごとの移動軌跡を示す。図１２において「＃１０−１９」が左上に付された分布図は１０フレーム目から１９フレーム目までの移動軌跡を表し、「＃１５−２４」が左上に付された分布図は１５フレーム目から２４フレーム目までの移動軌跡を表し、他の分布図についても左上に付された「＃数字−数字」の意味は同様である。そして、図１２には、１０フレーム目から１５４フレーム目までの間で、１０フレームごと２８段階に分けた移動軌跡を示している。
【００６４】
０．０１秒ごとに１フレームをサンプリングしており、したがって１０フレームにわたる移動軌跡は０．１秒間の移動軌跡を表す。図１２の各分布図中、フレームサンプリング順序を矢印で示し、例えば１０フレーム目から１９フレーム目までの移動軌跡においては、１０フレーム目から６フレーム目ぐらいまではｙ方向上方に移動しつつｘ方向右方に移動し、以降１９フレーム目まではｙ方向下方に移動しつつｘ方向左方に移動している。
【００６５】
図１２の結果より、噴出噴流の挙動が旋回成分を持ちながら不規則に変化していることがわかる。なお、図１１（ａ）、（ｂ）、（ｃ）におけるｘ方向、ｙ方向の目盛範囲はそれぞれ同じであったのに対し、図９の各分布図においてはｘ方向の目盛範囲が８０ｍｍであるのに対してｙ方向の目盛範囲は２０ｍｍである。したがって、図１２においてはｘ方向の移動範囲に対してｙ方向の移動範囲が実際よりも誇張して示され、実際には、図８（ａ）、（ｂ）、（ｃ）に示すようにｘ方向の移動に対してｙ方向の移動は小さく、噴出噴流はｘ方向すなわち矩形状の噴出口２６の長手方向に大きく振れている。
【００６６】
また、本発明者等は、図１１（ａ）、（ｂ）、（ｃ）の３つのデータのｘ方向成分から、噴出噴流の振動振幅の出現状況の確認を行った。これは、最初に各データのノイズ低減化で７回移動平均を行った上で、時系列的な上限下限ピークの抜き出しを順番に行ってそれらの差分を取っていき、その値を噴出噴流の振動振幅とし、その振動振幅の出現率を見るために確率密度分布を算出し、さらに全体の確率密度分布を算出した。
【００６７】
この結果を図１３に示す。図１３のグラフにおいて、点線は図１１（ａ）のデータについての結果であり、１点鎖線は図１１（ｂ）についての結果であり、２点鎖線は図１１（ｃ）についての結果であり、実線は図１１（ａ）〜（ｃ）全体についての結果である。
【００６８】
この図１３の結果から、５〜７０ｍｍの間で噴出噴流振動振幅の出現率がほぼブロードになっており、噴出噴流振動振幅の変動幅が一定でなく不規則に変化しているようすがわかる。結果として、往復移動の振動数が一定でなく不規則に変化することと相俟って、よりランダムで自然なマッサージ感が得られ、入浴者に緊張感を与えない。
【００６９】
また、本発明者等は、本実施形態に係るノズル１１からの噴出噴流において、噴出口２６での噴出方向切換周期を測定した。具体的には、透明樹脂で製作したノズル１１を用い、噴出口２６に対して正対する方向から、噴出口２６の矩形状断面構造の長手方向と平行になるようにレーザーシート光を照射して、その長手方向の側面側から撮像装置によって撮影した。水流の動きが確認できるトレーサー粒子を水の中に入れ、撮像装置による画像を観察し、噴流の方向切換回数を目視でカウントすることによって、２次元的な噴流の方向切換挙動特性を調べた。
【００７０】
流路断面収縮部２３の流路径（図３におけるｄ）を８．３ｍｍ、チャンバー２５の軸方向長さ（図３におけるＬ）を７６．８ｍｍ、流路断面収縮部２３の直管部長さ（図３におけるＬ１）を３ｍｍ、チャンバー２５及び噴出口２６の断面における長手方向寸法（図４におけるＤ）を２９ｍｍ、チャンバー２５及び噴出口２６の断面における短手方向寸法（図４におけるＷ）を１３．８ｍｍ、流路断面収縮部２３におけるチャンバー２５内に臨む下流端開口の開口縁部と、チャンバー２５の断面輪郭線における長辺部との間の距離（図３におけるＸ）を２．７５ｍｍに、それぞれ設計し、ノズル内への供給流量を２５、３０、４０、４５リットル／分とした。
【００７１】
図１４に、ノズル１１内に供給される水の圧力Ｐと、流量Ｑとの関係を示すＰＱ特性グラフを示す。
図１５に、ノズル１１の噴出噴流方向切換周波数特性グラフを示す。
【００７２】
これら結果より、供給流量が２５〜４５リットル／分のとき、噴出噴流は１３〜２３Ｈｚ程度の周波数で、噴流が噴出口２６の長手方向に切り換わる傾向であることがわかる。なお、噴出口２６から７０ｍｍの位置では、噴流が広がり、やや蛇行した上に、比較的狭い範囲で行われていること、さらに面上の観測体は弾性体であるため高い周波数成分が吸収されてしまったこともあり、人の手によるマッサージに近いリズムである比較的低周波領域の振動数が出現した。
【００７３】
図１６に、噴流噴出方向の切り換わりの様子を示した撮影画像を示す。図１６において、主流と渦の概略的な動きを仮想流体線で示している。この結果から、渦発生箇所の上下方向（矩形噴出口の長手方向）の位置の切り換わりと、主流の噴出方向の切り換わりとがリンクしていること、さらには、噴出した噴流が広がり、やや蛇行している様子がわかる。
【００７４】
これらの結果から、実際に入浴者に与える刺激感としては、低周波領域では噴流振動を強く感じさせ、細かく方向が切り換わる振動領域では１３〜２３Ｈｚで感じさせており、これらを複合した、より複雑なきめ細かい刺激を入浴者に与える噴出噴流が得られていることが確認できる。
【００７５】
本実施形態によれば、気泡を含む比較的強い刺激感が得られる直進噴流と、略長方形状の噴出口２６の長手方向に振れながら噴出し手もみマッサージに近い刺激感が得られる気泡無しの往復振動噴流といった、モードの異なる噴流を、可動部がなく簡単な構造の同じノズル１１を使って、単に電磁弁４１の開閉制御により両モードを選択切換して実現できる。
【００７６】
すなわち、各モードごとに専用のノズルを用意することなく、各モード間で同じ共通のノズルを使ってコストや設置スペースの増大を抑えつつ、多様なマッサージを実現する。さらに、ノズル内流水に気泡を混入させるにあたっては、チャンバー内に生じる負圧を利用して空気を自吸する構成としており、且つ空気混入有無の切り換えは単に空気導入管４３に設けた電磁弁４１の開閉制御で簡単に行うことができ、エア供給系統の構成を簡単にし、コストや設置スペースの点で優れている。
【００７７】
図１７に、エア供給系統の他の具体例を示す。この具体例では、ノズル１１内への空気の供給を自吸ではなく、空気導入管５１に接続されたエアコンプレッサ５２を用いて行う。空気導入管５１は、浴槽リム２に設けた空気取入口２ａと、ポンプ７の吐出側の管路８との間に接続されている。エアコンプレッサ５２は、空気取入口２ａを介して大気中から取り込んだ空気を管路８に圧送し、これにより、管路８をノズル１１内に向けて流れる加圧浴槽水中に気泡が混入され、この気泡混入流水はノズル１１内に導入されて噴出口２６から気泡入りの直進噴流が噴出される。
【００７８】
エアコンプレッサ５２より下流側の空気導入管５１には、エアコンプレッサ５２からノズル１１側に向かう方向を順方向とする逆止弁５３が設けられ、浴槽水のエアコンプレッサ５２側への逆流が阻止されている。
【００７９】
この具体例では、エアコンプレッサ５２が空気混入有無の切換装置として機能し、エアコンプレッサ５２を駆動させればノズル１１内に空気が送られ、気泡を含む直進噴流が噴出され、エアコンプレッサ５２を停止させれば、ノズル１１内に空気は送られず、気泡を含まない前述した往復振動噴流が噴出される。エアコンプレッサ５２を使用することで大量の空気を強制的に導入することができ、大流量の気泡噴流が可能になる。そうした場合、気泡を含まない往復振動噴流の感じ方と、変化度合いが大きく変わって、その変化度合いを楽しむことができる。さらに、ノズル１１に空気導入用開口などの空気導入機構を設ける必要がないため構成が簡単になる。また、ノズル１１の取り付けについても取り付ける配管を少なくすることができ、取り付けが容易になる。
【００８０】
また、図１８には、エア供給系統のさらに他の具体例を示す。この具体例では、空気導入管６３の上流側の一端は浴槽リム２に設けられた空気取入口２ａに通じ、下流側の他端はポンプ７の吸込側の管路６に通じている。
【００８１】
空気導入管６３の上流側には、ノズル１１内への空気混入有無の切換装置としえ機能する電磁弁６１が設けられている。電磁弁６１より下流側の空気導入管６３には、空気取入口２ａ側から管路６側に向かう方向を順方向とする逆止弁６２が設けられ、浴槽水の空気取入口２ａ側への逆流が阻止されている。
【００８２】
空気導入管６３が管路６につながれる部分は、ポンプ７の吸込口近くの管路６の下流側に設けられ、ポンプ７の引き込み力によって負圧が生じる。
【００８３】
電磁弁６１を「開」にすれば、負圧により、空気取入口２ａ及び空気導入管６３を介して大気中から空気が管路６内に自吸されて流水中に気泡として混入され、この気泡混入流水はポンプ７に吸い込まれて管路８を介してノズル１１に向けて圧送される。これにより気泡混入流水がノズル１１内に導入され、噴出口２６から気泡を含む直進噴流が噴出される。
【００８４】
電磁弁６１を「閉」にすれば、空気の自吸は行われず、したがって、気泡を含まない前述した往復振動噴流がノズル１１の噴出口２６から噴出される。
【００８５】
以上、具体例を参照しつつ本発明の実施形態について説明した。しかし、本発明は、それらに限定されるものではなく、本発明の技術的思想に基づいて種々の変形が可能である。
【００８６】
噴流ノズルの流水導入部における流水導入口から流路断面収縮部へと続く部分は流路径がほぼ一定のまま湾曲させた構造としてもよい。ただし、図３に示す前述した実施形態のように、流水導入部２２の流路径を上流側端部から下流側端部である流路断面収縮部２３に向けて漸次細くなるようにし、且つその流水導入部２２の流路断面中心線Ｃ２の下流端位置をチャンバー２５の中心軸Ｃ１に一致させることで、流路径一定のまま湾曲させた場合に比べて、湾曲部の突出長を抑えて、限られた浴室内スペースでの設置に有利となる小型化が図れる。
【００８７】
また、大気中から空気導入管４３内に空気を取り入れるための空気取入口２ａは、浴槽リム２の上に設けている。これにより、浴槽内にいっぱいまで浴槽水が貯留されたとしても、空気取入口２ａは浴槽水に浸からず、空気の取り込みが妨げられない。一方ここで浴槽リム下の、閉鎖された空間の空気を取り込むことは良くない。なぜなら、浴槽リム下の閉鎖された空間の空気は、流れがよどんでいるからである。なお、本実施形態のように構成しておくと、浴室内の換気された空気を取り込むため、空気が新鮮で清潔である。
【００８８】
ここで、本発明者等は、本実施形態に係るノズル１１からの空気を取り込んだ状態での噴出噴流を、噴出口２６から深さ１００ｍｍの水中に噴出させ、騒音計ＮＡ−２７（ＲＩＯＮ製）をノズル１１から水平距離で５００ｍｍ離し、騒音計の設定をＬＡｅｑ、１／３オクターブ、ＦＡＳＴ、測定時間２０秒にし、噴出噴流の騒音レベルを調べた。
【００８９】
図１９（ａ）、（ｂ）、（ｃ）、（ｄ）に図４のＢ−Ｂ断面における、筒体２０の断面図を示す。図３流路断面収縮部２３の流路径（図４におけるｄ）を８．３ｍｍ、チャンバー２５の軸方向長さ（図３におけるＬ）を７６．８ｍｍ、流路断面収縮部２３の直管部長さ（図４におけるＬ１）を３ｍｍ、チャンバー２５及び噴出口２６の断面における長手方向寸法（図４におけるＤ）を３３．８ｍｍ、チャンバー２５及び噴出口２６の断面における短手方向寸法（図４におけるＷ）を１３．８ｍｍ、流路断面収縮部２３におけるチャンバー２５内に臨む下流端開口の開口縁部と、チャンバー２５の断面輪郭線における長辺部との間の距離（図４におけるＸ）を２．７５ｍｍ、空気吸入口３５の内径φ６ｍｍ、チャンバー空気導入口３７としてφ３ｍｍ径の穴を面積違いの比較として６個の場合と９個の場合、上流側と下流側との違いを確認できるように配置したチャンバー２５を４個設計製作した。ここで、図１９（ａ）はチャンバー空気導入口３７のφ３ｍｍ径６個をチャンバー２５の中心軸Ｃ１を中心として、図１９（ａ）におけるチャンバー２５の長手方向の中間軸Ｃ３より上流側に配置した場合、図１９（ｂ）はチャンバー空気導入口３７のφ３ｍｍ径６個をチャンバー２５の中心軸Ｃ１を中心として、図１９（ｂ）におけるチャンバー２５の長手方向の中間軸Ｃ３より下流側に配置した場合、図１９（ｃ）はチャンバー空気導入口３７のφ３ｍｍ径９個をチャンバー２５の中心軸Ｃ１を中心として、図１９（ｃ）におけるチャンバー２５の長手方向の中間軸Ｃ３より上流側に配置した場合、図１９（ｄ）はチャンバー空気導入口３７のφ３ｍｍ径９個をチャンバー２５の中心軸Ｃ１を中心として、図１９（ｄ）におけるチャンバー２５の長手方向の中間軸Ｃ３より下流側に配置した場合を示す。これら、図１９（ａ）、（ｂ）、（ｃ）、（ｄ）の筒体２０をノズル１１内で入れ替えて騒音測定を実施した。また、騒音測定時のノズル１１内への供給流量設定は３５、４０、４５リットル／分とした。
【００９０】
ここで、チャンバー空気導入口空気吸入口３５については内径φ６ｍｍの断面積（３２×π≒２８ｍｍ２）で一定にし、チャンバー空気導入口３７については、φ３ｍｍ×６個の開口面積（１．５２×π×６≒４２ｍｍ２）と、チャンバー空気導入口φ３ｍｍ×９個の開口面積（１．５２×π×９≒６４ｍｍ２）の２パターンで設計した。
【００９１】
図２０はノズル１１の筒体２０を図１９（ａ）、（ｂ）で入れ替えた流量違いの騒音測定結果を示す。
図２０の結果より、各流量でチャンバー空気導入口３７（φ３×６個）を下流側に配置する事での騒音低減効果が確認できた。
【００９２】
図２１はノズル１１の筒体２０を図１９（ｃ）、（ｄ）で入れ替えた流量違いの騒音測定結果を示す。
図２１の結果より、各流量でチャンバー空気導入口３７（φ３×９個）を下流側に配置する事での騒音低減効果が確認できた。
【００９３】
図２０、図２１の結果を総合すると、複数の筐体２０においてチャンバー空気導入口３７における開口面積が一定の場合、下流側に配置する事での騒音低減が可能であり、これはチャンバー空気導入口３７の開口面積、流量によらず可能である事が確認できた。この結果は、流路断面収縮部２３付近である場合（図１９の中心軸Ｃ３より上流側）と、噴出口２６付近である場合（図１９の中心軸Ｃ３より下流側）とでは、流路断面収縮部２３付近での比較的片寄った速い噴流流速分布と、噴出口２６付近のチャンバー２５内で比較的平均化された流速分布の違いによる発生負圧レベルの違いにより、噴出口付近の方が、空気を水中に引き込んで気泡になる際に発生する空気の引きちぎれ状態変化を緩やかになった事で、ノズル１１の気泡噴流時に発生する騒音の低減ができたと考えられる。
【００９４】
図２２はノズル１１の筒体２０を図１９（ａ），（ｄ）で入れ替えた流量違いの騒音測定結果を示す。
図２２の結果より、各流量でチャンバー空気導入口３７を同様の配置位置にした上で開口面積に違いがあった場合、チャンバー空気導入口３７の開口面積が大きい方が、騒音低減効果が高い事を確認できた。この結果は、チャンバー空気導入口３７の開口面積の大きい方が、各チャンバー空気導入口３７での流速を下げる事で気泡の引きちぎれ状態変化を緩やかにする事ができ、ノズル１１の気泡噴流時に発生する騒音の低減ができたものと考えられる。すなわち、空気導入管４３から入る空気の量が一定であると仮定すれば、空気吸入口３５、及びチャンバー空気導入口３７が複数ある事で、開口面積が広がり同様の効果が得られる。
【符号の説明】
【００９５】
１…浴槽、５…吸入口、１１…噴流ノズル、２０…筒体、２２…流水導入部、２３…流
路断面収縮部、２４…流路断面急拡大部、２５…チャンバー、２６…噴出口、３０…湾曲部、３１…外側カバー、３５…空気吸入口、３６…溝、３７…チャンバー空気導入口、４１、６１…電磁弁、４３、５１、６３…空気導入管、５２…エアコンプレッサ
【図１】
2011015784.tif 000003
【図２】
2011015784.tif 000004
【図３】
2011015784.tif 000005
【図４】
2011015784.tif 000006
【図５】
2011015784.tif 000007
【図６】
2011015784.tif 000008
【図７】
2011015784.tif 000009
【図８】
2011015784.tif 000010
【図９】
2011015784.tif 000011
【図１０】
2011015784.tif 000012
【図１１】
2011015784.tif 000013
【図１２】
2011015784.tif 000014
【図１３】
2011015784.tif 000015
【図１４】
2011015784.tif 000016
【図１５】
2011015784.tif 000017
【図１６】
2011015784.tif 000018
【図１７】
2011015784.tif 000019
【図１８】
2011015784.tif 000020
【図１９】
2011015784.tif 000021
【図２０】
2011015784.tif 000022
【図２１】
2011015784.tif 000023
【図２２】
2011015784.tif 000024